(57)【要約】  血液の流動特性を測定するためのデバイスを説明する。デバイスは、実質的に一定の断面を有する少なくとも１つのチャネルサブセクションを有するチャネルと、チャネルのサブセクションの少なくとも一部分に沿って圧力差を測定するための装置と、チャネルの第１の端部に位置付けられてチャネルと流体連通して置かれるようになっており、可変内部容積のものである第１のリザーバと、チャネルを通じて第１のリザーバと流体連通して置かれるようになっており、可変内部容積のものである第２のリザーバと、デバイス内に血液が導入されることを可能にするための手段と、デバイスからガスが放出されることを可能にするための出口と、第１のリザーバの容積を変化させるための手段とを含む。第１のリザーバの容積を変化させるための手段は、第１及び第２のリザーバがチャネルの第１及び第２の端部とそれぞれ流体連通している時に交替する方向にチャネルに沿って血液を流すことができるようなものである。血液の流動特性を測定する方法及び説明するデバイスを含む方法も説明する。【選択図】図１
2019536027.tif 000002
【特許請求の範囲】
【請求項１】
血液の流動特性を測定するためのデバイスであって、
実質的に一定の断面を有する少なくとも１つのチャネルサブセクションを有するチャネルと、
前記チャネルの前記サブセクションの少なくとも一部分に沿って圧力差を測定するための装置と、
前記チャネルの第１の端部に位置付けられるようにかつ該チャネルと流体連通して置かれるようになっており、可変内部容積のものである第１のリザーバと、
前記チャネルを通じて第１のリザーバと流体連通して置かれるようになっており、可変内部容積のものである第２のリザーバと、
デバイス内に血液が導入されることを可能にするための手段と、
デバイスからガスが放出されることを可能にするための出口と、
前記第１及び第２のリザーバが前記チャネルの前記第１及び第２の端部とそれぞれ流体連通している時に交替する方向に該チャネルに沿って血液を流すことができるように該第１のリザーバの前記容積を変化させるための手段と、
を含むことを特徴とするデバイス。
【請求項２】
前記チャネルは、複数のサブセクションを有し、各サブセクションが、実質的に一定の断面を有し、かつ当該サブセクションの少なくとも一部分にわたって圧力差を測定するためのそれぞれの差圧装置が設けられ、該サブセクションは、異なる断面積のものであることを特徴とする請求項１に記載のデバイス。
【請求項３】
前記少なくとも１つのサブセクションの内径が、１５０〜３０００ミクロン、好ましくは２００〜２０００ミクロンの範囲にあることを特徴とする請求項１又は請求項２に記載のデバイス。
【請求項４】
前記少なくとも１つのサブセクションの長さが、０．５〜１５ｃｍ、好ましくは１〜１５ｃｍの範囲にあることを特徴とする請求項１から請求項３のいずれか１項に記載のデバイス。
【請求項５】
前記少なくとも１つのサブセクションの内径に対する長さの比が、５：１よりも大きく、好ましくは１０：１よりも大きく、最も好ましくは２０：１よりも大きいことを特徴とする請求項１から請求項４のいずれか１項に記載のデバイス。
【請求項６】
前記第１及び第２のリザーバ間の距離が、５０ｃｍよりも短く、好ましくは３０ｃｍよりも短いことを特徴とする請求項１から請求項５のいずれか１項に記載のデバイス。
【請求項７】
前記第１及び第２のリザーバは、各々が５０ｍｌよりも小さい最大容積を有することを特徴とする請求項１から請求項６のいずれか１項に記載のデバイス。
【請求項８】
前記第１及び第２のリザーバの一方又は両方が、プランジャ及び中空シリンダを含み、該プランジャは、該リザーバの前記内部容積を変更するために該シリンダの長手軸に沿って移動可能であることを特徴とする請求項１から請求項７のいずれか１項に記載のデバイス。
【請求項９】
前記第１及び第２のリザーバの一方又は両方が、シリンジによって提供されることを特徴とする請求項８に記載のデバイス。
【請求項１０】
前記第１及び第２のリザーバの一方又は両方が、弾性本体によって提供されることを特徴とする請求項８に記載のデバイス。
【請求項１１】
前記第１のリザーバは、前記少なくとも１つのチャネルと流体連通して置かれるようになったシリンジにより、該シリンジがデバイス内に液体を導入することを可能にするための手段を与えるように提供されることを特徴とする請求項９に記載のデバイス。
【請求項１２】
電気機械部品と関連の電子機器とを含む第１のセクションと、デバイス内に血液を導入して処理するための部分を含む第２のセクションとを含むことを特徴とする請求項１から請求項１１のいずれか１項に記載のデバイス。
【請求項１３】
デバイスの前記第２のセクションは、前記第１のセクションの上方、下方、内部、又は隣接しており、かつ廃棄可能であることを特徴とする請求項１２に記載のデバイス。
【請求項１４】
血液の流動特性を測定するためのデバイスであって、
拡大又は縮小する断面、好ましくは一様に拡大又は縮小する断面を有する少なくとも１つのチャネルサブセクションを有するチャネルと、
前記チャネルの前記サブセクションの少なくとも一部分に沿って圧力差を測定するための装置と、
前記チャネルの第１の端部に位置付けられるようにかつ該チャネルと流体連通して置かれるようになっており、可変内部容積のものである第１のリザーバと、
前記チャネルを通じて第１のリザーバと流体連通して置かれるようになっており、可変内部容積のものである第２のリザーバと、
デバイス内に血液が導入されることを可能にするための手段と、
デバイスからガスが放出されることを可能にするための出口と、
前記第１及び第２のリザーバが前記チャネルの前記第１及び第２の端部とそれぞれ流体連通している時に交替する方向に該チャネルに沿って血液を流すことができるように該第１のリザーバの前記容積を変化させるための手段と、
を含むことを特徴とするデバイス。
【請求項１５】
血液の流動特性を測定するためのデバイスであって、
チャネルと、
前記チャネルの少なくとも一部分に沿って圧力差を測定するための装置と、
前記チャネルの第１の端部に位置付けられるようにかつ該チャネルと流体連通して置かれるようになっており、可変内部容積のものである第１のリザーバと、
前記チャネルを通じて第１のリザーバと流体連通して置かれるようになっており、該チャネルから受け入れた液体を該液体を該チャネルに戻すことができるように保持するように構成された第２のリザーバと、
デバイス内に血液が導入されることを可能にするための手段と、
デバイスからガスが放出されることを可能にするための出口と、
前記第１及び第２のリザーバが前記チャネルの前記第１及び第２の端部とそれぞれ流体連通している時に交替する方向に該チャネルに沿って血液を流すことができるように該第１のリザーバの前記容積を変化させるための手段と、
を含むことを特徴とするデバイス。
【請求項１６】
前記第２のリザーバは、前記チャネルから受け入れた液体を保持する多孔プラグを含むことを特徴とする請求項１５に記載のデバイス。
【請求項１７】
使用時に、前記第２のリザーバは、該第２のリザーバの中への前記チャネルの入口の上方に位置付けられることを特徴とする請求項１５に記載のデバイス。
【請求項１８】
前記装置は、実質的に一定の断面を有する前記チャネルの一部分に沿って圧力差を測定することを特徴とする請求項１５から請求項１７のいずれか１項に記載のデバイス。
【請求項１９】
前記装置は、拡大又は縮小する断面、好ましくは一様に拡大又は縮小する断面を有する前記チャネルの一部分に沿って圧力差を測定することを特徴とする請求項１５から請求項１７のいずれか１項に記載のデバイス。
【請求項２０】
血液の流動特性を測定する方法であって、
請求項１又は請求項１４に記載のデバイスを用意するステップと、
前記デバイス内に血液を導入するステップと、
前記デバイスからガス又は流体を放出するステップと、
第１及び第２のリザーバがチャネルと流体連通していることを保証するステップと、
前記第１及び第２のリザーバ間で第１の方向に前記チャネルに沿って血液を流すように該第１のリザーバの内部容積を変更するステップと、
前記第１及び第２のリザーバ間の血液流量を記録又は測定するステップと、
実質的に均一な断面を有する少なくとも１つのサブセクションの少なくとも一部分に沿って圧力差を測定するための装置をモニタするステップと、
前記血液を第２の方向に前記チャネルに沿って流すステップと、
を含むことを特徴とする方法。
【請求項２１】
血液の流動特性を測定する方法であって、
請求項１４又は請求項１５に記載のデバイスを用意するステップと、
前記デバイス内に血液を導入するステップと、
前記デバイスからガス又は流体を放出するステップと、
第１及び第２のリザーバがチャネルと流体連通していることを保証するステップと、
前記第１及び第２のリザーバ間で第１の方向に前記チャネルに沿って血液を流すように該第１のリザーバの内部容積を変更するステップと、
前記第１及び第２のリザーバ間の血液流量を記録又は測定するステップと、
拡大又は縮小する断面を有する少なくとも１つのサブセクションの少なくとも一部分に沿って圧力差を測定するための装置をモニタするステップと、
前記血液を第２の方向に前記チャネルに沿って流すステップと、
を含むことを特徴とする方法。
【請求項２２】
血液サンプルを含有して前記第１のリザーバとして機能するシリンジを用意するステップを含むことを特徴とする請求項２０又は請求項２１に記載の方法。
【請求項２３】
前記第１のリザーバは、１〜５０ｍｌ、好ましくは５〜５０ｍｌの範囲の内部容積を有し、該第１のリザーバの該内部容積を変更するステップは、前記シリンジの該内部容積を１００％未満だけ低減するステップを含むことを特徴とする請求項２０から請求項２２のいずれか１項に記載の方法。
【請求項２４】
前記第１のリザーバは、５〜５０ｍｌの範囲の内部容積を有し、該第１のリザーバの該内部容積を変更するステップは、前記シリンジの該内部容積を１〜６０秒以内に少なくとも２０％だけ、好ましくは１０〜６０秒以内に少なくとも８０％だけ低減するステップを含むことを特徴とする請求項２０から請求項２３のいずれか１項に記載の方法。
【請求項２５】
血液が、少なくとも３分、好ましくは少なくとも５分にわたって交替する方向に前記チャネルに沿って流されることを特徴とする請求項２０から請求項２４のいずれか１項に記載の方法。
【請求項２６】
血液が、少なくとも３分にわたって周期関数又は周期関数の組合せによって測定された速度で前記チャネルに沿って流されることを特徴とする請求項２０から請求項２５のいずれか１項に記載の方法。
【発明の詳細な説明】
【技術分野】
【０００１】
本発明は、非ニュートン流体の流動特性を測定するためのデバイス、特に血液の流動特性を測定するためのデバイス、及びその使用のための方法に関する。
【背景技術】
【０００２】
患者の血液の流動特性の迅速評価を取得することは多くの場合に望ましい。そのような流動特性の知識は、患者への凝固剤及び抗凝固剤の投与を評価する際に価値のあるものである。それはまた、出血の傾向を有する又は高い血栓リスクがある者での出血又は血栓事象の可能性を予想することができる。血液の流動特性を知ることが重要である更に別の状況は、術中と術後の抗凝固作用逆転中とに患者をモニタすることを含む。血液流動変化は、敗血症を有する患者においても発生し、かつ病状が存在することの早期兆候を与えることができる。敗血症が十分に早期に検出される場合に、病状に対する治療は比較的容易である場合がある。
【０００３】
同様に、抗凝固剤の投与中又は手後の血液の抗凝固作用逆転中に、血液の流動特性の変化に対する適時フィードバックを利用することは非常に有用であると考えられる。
【先行技術文献】
【特許文献】
【０００４】
【特許文献１】国際公開２０１１／０５１７０６号
【発明の概要】
【発明が解決しようとする課題】
【０００５】
しかし、血液の流動特性を測定するための現在の検査は、時間を消費する傾向があり、かつ患者からある容積の血液を抜き取って分析に向けてトロンボエラストグラフのような専門家の据え付け計器に送ることを必要とする。すなわち、より日常的に使用することができる簡単な枕元計器に対する必要性が存在する。
【０００６】
以下の説明では、血液という用語は、ヒト血液及び動物血液を包含してこれらを指すものであり、同じく血液及び血液製品を意味することができる。
【課題を解決するための手段】
【０００７】
本発明は、各々が可変内部容積を有し、かつチャネルを通じて他と流体連通して置かれるようになった２つのリザーバを含む血液の流動特性を測定するためのデバイスを提供することができる。血液は、２つのリザーバの内部容積を変更することによってチャネルに沿って流すことができる。チャネルは、各々が実質的に均一な断面を有する１又は２以上のセクションを含む。２又は３以上の均一なセクションがある場合に、各セクションは、他のセクションと断面積が異なる。デバイスには、実質的に均一な断面を有するチャネルの少なくとも一部分に沿って圧力差を測定するための圧力ゲージ又は圧力センサが設けられる。
【０００８】
液体血液の流動に関する情報は、所与の流量からもたらされる異なる断面積のいくつかのセクションにわたる圧力差を測定することによって取得することができる。これに代えて、血液の流動に関する情報は、いくつかの異なる定められた流量での実質的に均一な断面のセクションにわたる圧力差を測定することによって取得することができる。
【０００９】
すなわち、デバイスは、機能することができるために大容積の血液を必要としない単純な交替方向ポンピングシステムに基づくものである。ＷＯ  ２０１１／０５１７０６に記載されているような以前のデバイスに使用される他のポンピングシステムはそれ程有利ではない。例えば、蠕動ポンピングシステムは、液体を含有するチューブの圧縮によって液体中の懸濁成分（例えば、血液サンプル中に存在する血球）を損傷する場合がある。遠心ポンピングシステムは、小容積の液体に対して実用的ではない。これに加えて、遠心ポンプ又は蠕動ポンプからの流量はモニタすることが困難である場合があり、デバイス内に追加の構成要素（流量計）の必要性をもたらす。可変内部容積を有するリザーバからの流量は、その容積の変化率によって正確に測定される。
【００１０】
本発明のデバイスは、例えば配管内の僅かな不均一性に起因する測定での所定のアーチファクトが互いに打ち消し合う傾向を有することになるように、チャネルに沿って交替する方向に液体がポンピングされることを可能にする。交替する方向に液体をポンピングすることにより、粘性及び弾性率のような特性による振動性流体応答の測定のようなより複雑な分析を実施することを可能にすることができる。
【００１１】
第１の態様では、本発明は、血液のような非ニュートン流体の流動特性を測定するためのデバイスを提供することができ、デバイスは、実質的に一定の断面を有する少なくとも１つのチャネルサブセクションを有するチャネルと、チャネルのサブセクションの少なくとも一部分に沿って圧力差を測定するための装置と、チャネルの第１の端部に位置付けられるようにかつチャネルと流体連通して置かれるようになっており、可変内部容積のものである第１のリザーバと、チャネルを通じて第１のリザーバと流体連通して置かれるようになっており、可変内部容積のものである第２のリザーバと、デバイス内に血液が導入されることを可能にするための手段と、デバイスからガスが放出されることを可能にするための出口と、第１及び第２のリザーバがチャネルの第１及び第２の端部とそれぞれ流体連通している時に交替する方向にチャネルに沿って血液を流すことができるように第１のリザーバの容積を変化させるための手段とを含む。
【００１２】
少なくとも１つのチャネルサブセクションは、直線又は曲線である場合がある。
【００１３】
第２の態様では、本発明は、血液の流動特性を測定するためのデバイスを提供することができ、デバイスは、拡大又は縮小する断面、好ましくは、一様に拡大又は縮小する断面を有する少なくとも１つのチャネルサブセクションを有するチャネルと、チャネルのサブセクションの少なくとも一部分に沿って圧力差を測定するための装置と、チャネルの第１の端部に位置付けられてチャネルと流体連通して置かれるようになっており、可変内部容積のものである第１のリザーバと、チャネルを通じて第１のリザーバと流体連通して置かれるようになっており、可変内部容積のものである第２のリザーバと、デバイス内に血液が導入されることを可能にするための手段と、デバイスからガスが放出されることを可能にするための出口と、第１及び第２のリザーバがチャネルの第１及び第２の端部とそれぞれ流体連通している時に交替する方向にチャネルに沿って血液を流すことができるように第１のリザーバの容積を変化させるための手段とを含む。
【００１４】
少なくとも１つのチャネルサブセクションは、直線又は曲線である場合がある。
【００１５】
少なくとも１つのチャネルサブセクションは、不均一方式で拡大又は縮小する断面を有することができ、例えば、断面は、半双曲方式で拡大する又は正弦波変動を辿ることができる。
【００１６】
すなわち、本発明の第１及び第２の態様の両方では、第１及び第２のリザーバがチャネルを通じて互いに流体連通している時に、第１及び／又は第２のリザーバの内部容積を変更することによって血液をチャネルに沿ういずれの方向にも流すことができる。第１及び第２の態様の両方は、血液の流動特性を測定することができるデバイスを提供するのに同じ手法を採用する。本発明の第２の態様によるデバイスに対しては、そのような不均一チャネルを通る交替する流れは、血液のような粘弾性流体の弾性特性に関する追加の情報を与えることができる。そのような先細セクションは、チャネル内で全て同じ方向に先細にすることができ、又は一部は、反対方向に先細にすることができる。
【００１７】
典型的に、本発明の第１及び第２の態様によるデバイスでは、第１のリザーバはシリンジであり、すなわち、それは、プランジャ及び中空シリンダを含み、プランジャは、リザーバの内部容積を変更するためにシリンダの長手軸に沿って移動可能である。シリンジは、患者から血液サンプルを取得するために使用することができ、かつその後にチャネルと流体連通して置くことができる。この場合に、シリンジは、液体をデバイス内に導入することを可能にするための手段を与える。検査後に、シリンジは、血液サンプルを他の検査に使用することを可能にするためにデバイスから取り外すことができる。
【００１８】
典型的に、デバイスは、第１及び第２のリザーバが互いに流体連通している時に第２のリザーバの容積を変化させることによって流体をチャネルに沿って流すことができるように第２のリザーバの容積を変化させるための手段を更に含む。典型的に、第２のリザーバもシリンジである。
【００１９】
他の実施形態では、リザーバは、可撓性ケーシング、例えば弾性球体によって提供することができる。
【００２０】
所定の実施形態では、第２のリザーバは、リザーバに可変内部容積を与えるために内部に位置付けられた圧縮可能部分を含む。圧縮可能部分は、例えば、空気ポケット又は弾性変形可能なインサートである場合がある。
【００２１】
所定の実施形態では、第１又は第２のリザーバは、第１又は第２のリザーバが全体的に可変内部容積のものであることを前提として相互接続した従属リザーバを含むことができる。
【００２２】
一般的に、本発明の第１の態様によるデバイスのチャネルは、複数のサブセクションを有し、各サブセクションは、実質的に一定の断面を有し、かつ当該サブセクションの少なくとも一部分にわたって圧力差を測定するためのそれぞれの差圧装置が設けられ、サブセクションは、異なる断面のものである。
【００２３】
この場合に、液体の流動特性は、複数のサブセクションから得られた圧力読取値から測定することができる。各サブセクションは、血液のような非ニュートン流体に関してサブセクション毎に異なることになる見かけ粘性を測定する。流動特性は、サブセクションの各々での見かけ粘性と歪み速度の間の関係から導出することができる。
【００２４】
交替する流れが単純な順流及び逆流ではない事象では、見かけ複素弾性率のような粘性に関連する流動特性は、過渡圧力を過渡流量に関連付けることによって導出することができる。
【００２５】
１つのサブセクションしか存在しない場合に、血液の流動特性を測定するために異なる流量で検査を実施する必要がある場合がある。異なる流量は、異なる歪み速度をもたらし、従って、非ニュートン流体では異なる見かけ粘性をもたらす。こうして液体の流動特性を見かけ粘性と歪み速度の間の関係から測定することができる。
【００２６】
差圧を測定するための装置は、圧力モニタシステムとすることができる。圧力モニタシステムは、実時間で又はその後の処理及び分析のために電子的又は物理的にモニタすることができる。例えば、これらの圧力センサは、圧電抵抗歪みゲージとすることができ、又は流体が貫流するチャネルの変形を感知する容量センサとすることができる。
【００２７】
１よりも多いサブセクションが設けられる場合に、これらのサブセクションは全て互いに位置合わせすることができる。チャネルは、必要なセクションを組み込んだ廃棄可能プラスチック配管で製造することができる。配管は、剛性又は可撓性とすることができる。配管は、それを容易に挿入することができ、容易に取り外すことができる直線形の外側チャネル内に嵌合することができる。これに代えて、チャネルが上面に形成された下板を与えることができ、その中にチャネルのプラスチック配管を嵌合することができ、次いで、例えば、上板又は補助板によって定位置に締結することができる。プラスチック配管は、上板の一体部品として形成することができ、圧力センサは下板の中に組み込まれる。このようにして、血液が通過する上板を廉価な廃棄可能部品とすることができ、センサ及び電気構成要素を含むより高価な廃棄不能部品が下板の中に組み込まれる。これは、より小型のデバイスをもたらすのに役立たせることができる。全体的にこの設計では、流体を損傷するか又は溜めてしまう可能性がある鋭角の方向変化を回避するように注意しなければならない。
【００２８】
典型的に、少なくとも１つのサブセクションの内径は、１５０ｍｍよりも大きく、好ましくは２００ミクロンよりも大きく、より好ましくは３００ミクロンよりも大きい。典型的に、少なくとも１つのサブセクションの内径は、３０００ミクロンよりも小さく、好ましくは２０００ミクロンよりも小さく、より好ましくは１０００ミクロンよりも小さい。
【００２９】
好ましくは、少なくとも１つのサブセクションは円形断面を有する。
【００３０】
典型的に、少なくとも１つのサブセクションの長さは、０．５ｃｍよりも長く、好ましくは１ｃｍよりも長い。典型的に、少なくとも１つのサブセクションの長さは、３０ｃｍよりも短く、好ましくは１５ｃｍよりも短く、より好ましくは１０ｃｍよりも短い。
【００３１】
典型的に、少なくとも１つのサブセクションの内径に対する長さの比は、５：１よりも大きく、好ましくは１０：１よりも大きく、最も好ましくは２０：１よりも大きい。
【００３２】
典型的に、第１及び第２のリザーバがチャネルを通じて互いに流体連通している時のこれらのリザーバの間の距離は、３０ｃｍよりも短く、好ましくは２０ｃｍよりも短い。
【００３３】
典型的に、第１及び第２のリザーバの各々は、５０ｍｌよりも小さく、好ましくは４０ｍｌよりも小さく、最も好ましくは３０ｍｌよりも小さい最大容積を有する。好ましくは、１ｍｌ、３ｍｌ、５ｍｌ、１０ｍｌ、２０ｍｌ、又は３０ｍｌの標準シリンジサイズが使用される。
【００３４】
所定の実施形態では、本発明の第１及び第２の態様によるデバイスは、血液に対して予め決められた流量を課すための手段を含むことができる（すなわち、このデバイスは、歪み制御式血流計として機能することができる）。他の実施形態では、本発明の第１及び第２の態様によるデバイスは、血液に対して予め決められた圧力差を課すための手段を含むことができる（すなわち、このデバイスは、応力制御式血流計として機能することができる）。
【００３５】
第３の態様では、本発明は、血液の流動特性を測定するためのデバイスを提供することができ、デバイスは、チャネルと、チャネルの少なくとも一部分に沿って圧力差を測定するための装置と、チャネルの第１の端部に位置付けられてチャネルと流体連通して置かれるようになっており、可変内部容積のものである第１のリザーバと、チャネルを通じて第１のリザーバと流体連通して置かれるようになっており、チャネルから受け入れた液体をその液体をチャネルに戻すことができるように保持するように構成された第２のリザーバと、デバイス内に血液が導入されることを可能にするための手段と、デバイスからガスが放出されることを可能にするための出口と、第１及び第２のリザーバがチャネルの第１及び第２の端部とそれぞれ流体連通している時に、交替する方向にチャネルに沿って血液を流すことができるように第１のリザーバの容積を変化させるための手段とを含む。
【００３６】
チャネルは、本発明の第１又は第２の態様によるデバイスのチャネルの特徴のうちの１又は２以上を有することができる。
【００３７】
第１のリザーバは、本発明の第１又は第２の態様によるデバイスの第１のリザーバの特徴のうちの１又は２以上を有することができる。
【００３８】
第４の態様では、本発明は、本発明の第１の態様によるデバイスを用意するステップと、デバイス内に血液を導入するステップと、デバイスからガス又は流体を放出するステップと、第１及び第２のリザーバがチャネルと流体連通していることを保証するステップと、第１及び第２のリザーバ間でチャネルに沿って第１の方向に血液が流れるように第１のリザーバの内部容積を変更するステップと、第１及び第２のリザーバ間の血液流量を記録又は測定するステップと、実質的に均一な断面を有する少なくとも１つのサブセクションの少なくとも一部分に沿って圧力差を測定するための装置をモニタするステップと、血液をチャネルに沿って第２の方向に流すステップとを含む血液の流動特性を測定する方法を提供することができる。
【００３９】
一般的に、本方法は、液体をチャネルに沿って第２の方向に流すステップを含む。両方の流れ方向で測定値を取得してこれらを平均する（又はフーリエ変換又はＦＦＴのようなより高度な信号処理技術を使用する）ことにより、測定誤差を低減すること及び／又は安定面上へのデバイスの正確な装着に対する必要性を低減することを可能にすることができる。
【００４０】
本方法は、例えば、血液に対して既知の流量を課して関連の圧力差をモニタすることによって実施することができる。これに代えて、本方法は、既知の圧力差を課して関連の流量を測定することによって実施することができる。
【００４１】
好ましくは、血液は、第１及び第２のリザーバ間で複数回循環させられる。順流及び逆流のサイクルは、定められた時点での流体の流動特性を測定するために少数サイクルにわたって行うことができ、又は例えば流体の凝固又はゲル化に起因する流動挙動の変化をモニタするために長い期間にわたって続けることができる。
【００４２】
チャネルが、他のサブセクションとは異なるそれぞれの断面を各々が有する複数のサブセクションを有する場合に、検査は、一定流量又は単一振幅及び周波数を有する周期的な流れで実施することができる。
【００４３】
チャネルが単一サブセクションのみを有する場合に、検査液に対して異なる歪み速度を課すために、異なる流量で検査を実施する必要がある場合がある。これに代えて、検査液の凝固又はゲル化の進行をモニタすることしか望まれない場合に、流量は、一定に保持することができ、又は連続するサイクルにおいて同じとすることができる。
【００４４】
液体は、血液サンプルとすることができる。この場合に、本方法は、血液サンプルを含有するシリンジを用意するステップと、第１のリザーバとして機能するようにシリンジをチャネルと流体連通して置くステップとを含む。このようにして、シリンジから測定デバイスによって形成された個々のリザーバに血液サンプルを移し換えるステップを回避することができ、従って、デバイスを操作するのに必要とされる技能レベルが低減され、更に、サンプルを検査する際の遅延が短縮される。
【００４５】
好ましくは、本方法は、デバイスを較正するステップを含む。これは、典型的に、既知の粘性のニュートン流体（例えば、水）をデバイス内に導入するステップと、デバイスからガスを放出するステップと、第１及び第２のリザーバがチャネルを通じて互いに流体連通していることを保証するステップと、第１及び第２のリザーバ間で液体をチャネルに沿って第１の方向に流すために第１のリザーバの内部容積を変更するステップと、少なくとも１つのサブセクションに沿って圧力差を測定するために圧力装置をモニタするステップとを通して行われる。
【００４６】
既知の粘性のニュートン流体を使用するデバイスの較正は、それ程正確ではない公差でデバイスを製造することを可能にすることができる。すなわち、血液サンプル（検査液として使用することができる）の流動特性は、デバイスの寸法から直接計算されるのではなく較正流体の既知の特性に関して計算することができるので、デバイスの高精度加工に対する要件が軽減される。この場合に、血液の見かけ粘性は、管径又は圧力センサ点間の距離への明確な参照を含まない次式から計算することができる。
μ／μC＝ΔＰＧC／（ΔＰCＧ）
上式中のμは（見かけ）粘性であり、Ｇは体積流量であり、ΔＰは圧力差である。下付き文字「Ｃ」は、ニュートン較正液を意味する。典型的に、デバイスを較正するステップは、較正液を第１のリザーバから第２のリザーバへ、更にその逆に繰り返し循環させるステップを含む。
【００４７】
各ストロークで排出される容積は、容積の最後の１０％から２０％を放出することによって赤血球が応力下に置かれ、それによって赤血球が破裂して溶血が引き起こされる可能性があるので、リザーバの全体容積よりも小さいことが好ましい。この応力は、高い半径方向速度によって引き起こされる高い歪み速度と、プランジャがシリンジの端部に接するように近づくことによって引き起こされる高い歪み速度の両方からもたらされる。半径方向速度は、ピストンの円周にある血液が軸に追いやられ、そこで血液が軸線方向に位置付けられた配管又はチャネルを通って流出するために流線が９０度回転する時に発生する。更に、シリンジのプランジャ端部がシリンジ本体の端部に衝突した場合に、それによってリザーバ内に残っているいずれの赤血球も直接圧壊される。
【００４８】
一実施形態では、内部容積は、最初の１０秒以内に８０％を超えない容積だけ低減される。それよりも高い排出速度は、血液のような液体を損傷する場合がある。
【００４９】
ある一定の場合に、血液は、チャネルに沿って交替する方向に少なくとも５分間流される。それにより、凝固によって引き起こされるもののような血液の流動変化をモニタすることを可能にすることができる。典型的に、各個々の流れサイクルの周期は、１〜１２０ｓの範囲、好ましくは１０〜１２０ｓの範囲にある。
【００５０】
本発明の第４の態様による方法に使用されるデバイスは、単独又は組合せのいずれで採用されるかに関わらず、本発明の第１又は第２の態様によるデバイスの任意的な特徴のうちの１又は２以上を有することができる。
【図面の簡単な説明】
【００５１】
ここで一例として以下の図を参照して本発明を以下に説明する。
【００５２】
【図１】本発明の第１の態様の実施形態による血液の流動特性を測定するためのデバイスの概略平面図である。
【図２】本発明の第１の態様の別の実施形態による方向が交替するチャネルを含む血液の流動特性を測定するためのデバイスの概略平面図である。
【発明を実施するための形態】
【００５３】
図１を参照すると、ブロック３０は、各々が円形の内部断面を有する複数のチャネル２１、２２、２３を含む。各チャネル２１、２２、２３は、２００〜２０００ミクロンの範囲で異なる内径を有する。チャネルの各々は、長さが１〜１５ｃｍであり、１０：１から４０：１の範囲の長さ：内径の比を有する。チャネルは、ブロック３０の両端の間に流体流路を形成するように直列に配置される。各チャネルには、それぞれの圧力差をモニタするための手段が設けられる。図示の実施形態では、各チャネルには、それぞれの差圧ゲージ４１、４２、４３に対するタッピングが設けられる。
【００５４】
第１のシリンジ１１は、プランジャ１１ａと、中空シリンダ１１ｂと、中空コネクタ１１ｃとを含む。プランジャは、シリンダの長手軸に沿って移動可能である。コネクタはシリンダの長手軸に位置合わせされ、シリンダと流体連通している。
【００５５】
コネクタ１１ｃは、シリンダとチャネル２１の間に流体流路を形成するようにチャネル２１と可逆係合される。すなわち、プランジャ１１ａは、シリンダ１１ｂ、コネクタ１１ｃ、及びブロック３０に対して移動可能である。
【００５６】
第２のシリンジ１２は、プランジャ１２ａと、中空シリンダ１２ｂと、それと可逆係合する中空コネクタ１２ｃとを含む。プランジャは、シリンダの長手軸に沿って移動可能である。コネクタはシリンダの長手軸に位置合わせされ、シリンダと流体連通している。
【００５７】
コネクタ１２ｃはチャネル２３と係合され、チャネル２３とシリンダ１２ｂの間に流体流路を形成する。すなわち、プランジャ１２ａは、シリンダ１２ｂ、コネクタ１２ｃ、及びブロック３０に対して移動可能である。
【００５８】
第１及び第２のシリンジの各々は、約５〜２０ｍｌの内部容積を有する。
【００５９】
駆動要素３１は、細長中心部分３１ａと、中心部分の各端部から横方向に延びるサイドアーム３１ｂ、３１ｃとを有する。サイドアーム３１ｂは、第１のシリンジのプランジャ１１ａを押圧するように構成され、それに対してサイドアーム３１ｃは、第２のシリンジのプランジャ１２ａを押圧するように構成される。駆動要素３１は電子制御される。
【００６０】
使用時に、第１のシリンジ１１に既知の粘性のニュートン液体のサンプルが供給され、中空シリンダ１１ｂ内に保持される。中空シリンダ１１ｂからチャネル２１への流体流路を形成するように、コネクタ１１ｃがチャネル２１との係合状態に入れられる。次いで、中空シリンダ１１ｂがブロック３０に対して締結される。
【００６１】
第２のシリンジ１２は、プランジャ１２ａが完全に押し下げられ、コネクタ１２ｃがシリンダ１２ｂから一時的に係合解除されるように配置される。
【００６２】
サイドアーム３１ｂは、液体がシリンダ１１ｂから流れ出して中空コネクタ１１ｃ、チャネル２１、２２、２３、及び中空コネクタ１２ｃを通って流れるようにプランジャ１１ａを押圧する。第１及び第２のシリンジ、並びにチャネル２１、２２、２３内に存在するあらゆるガスは、第２のシリンジの中空コネクタ１２ｃを通して放出され、その後に、中空シリンダ１２ｂが中空コネクタ１２ｃと再係合されて定位置に締結される。
【００６３】
次いで、駆動要素３１は、サイドアーム３１ａを更に第１のシリンジ１１のプランジャ１１ａに対して押圧するように作動される。それによって液体はシリンジ１１から排出され、第２のシリンジ１２が液体で充満された状態になるようにチャネル２１、２２、２３を通して押し流される。その結果、第２のシリンジの内部容積が増大し、プランジャ１２ａがブロック３０から遠ざかるように押圧される。
【００６４】
この運動中に、各チャネル２１、２２、２３にわたる圧力降下が測定される。シリンジ１１が完全に排出されると、駆動要素３１の運動は逆転され、流れが反対方向にある状態で圧力降下測定値が得られる。両方の方向の移動速度は正確に制御及び記録される。この速度は両方の方向で同じである。正確で再現可能な圧力降下読取値が記録されることを保証するほど十分な回数このサイクルが繰り返される。これらの測定値は較正測定値である。これらの測定値は、血液に対する検査の直前に取得することができ、又は各ブロック３０が事前較正されるように初期組み立て時に取得することができる。
【００６５】
使用時に、較正サイクルと同様であるがシリンジ１１内で血液サンプルを使用するサイクルが行われる。この順流及び逆流のサイクルは、血液の初期流動特性を測定するために少数サイクルにわたって行うことができ、又は血液が凝固する時の流動特性の変化を追跡するために長い期間（例えば、３０分まで）にわたって続けることができる。
【００６６】
使用中にデバイスを固定の向きに維持するのが得策である（例えば、ブロック３０は、ほぼ水平方向又はほぼ垂直方向に延ばすことができる）。この維持は、液体自体の重量によって作用される圧力の変化からもたらされる潜在的な不正確性を低減するのに役立つことになる。しかし、デバイス内の液体の比較的少ない量に起因して、これらの効果が非常に有意になるとは予想されない。
【００６７】
デバイスは、正確に制御された温度に維持され、又は測定される実質的に一定の温度を維持するために断熱されるかのいずれかである。それにより、結果を温度に関連付けられた流動特性の変化に関して補正することが可能になる。
【００６８】
図１に図示の実施形態では、チャネル２１、２２、２３は全て同じ軸に沿って位置合わせされる。しかし、他の実施形態では、隣接する１対のチャネルに沿って流れる液体は、最初はほぼ第１のシリンジから第２のシリンジに向う方向に進行するが、隣接するチャネルの間にある接合部においてほぼ第２のシリンジから第１のシリンジに向う方向に進行するように進路を変化させるようにこれらのチャネルを配置することができる。そのような構成は、より小型のデバイスをもたらすことを可能にすることができる。この構成を図２に例示している。
【００６９】
図１に図示の実施形態では、チャネル２１、２２、２３は、ブロック３０内に形成される。しかし、チャネルが異なる直径の複数のチューブにより、又は異なる直径の複数のセクションを有する単一チューブによって形成される他の実施形態を意図している。先細チューブも意図している。
【００７０】
図１は、３つのチャネルを有するデバイスを示すが、より多い又は少ない本数のチャネルを有する他の実施形態が可能であることに特に注意しなければならない。本発明は、チャネルが、その内径に関していずれかを特定の順序で配置されることを必要としない。機械的に単純な実施形態は、実質的に一定の断面を有する単一チャネルしか必要としない。この場合に、サイクル毎に駆動要素３１の順方向速度及び逆方向速度を変更することによって異なる歪み速度が得られる。
【００７１】
シリンジとブロックの間の接続チューブは、標準のルアーロックのような直接接続部によって置換することができ、それによって構成が単純になり、シリンジとブロックの間の血液量が低減される。
【００７２】
図２に図示の実施形態では、デバイスの最大直線寸法を低減するために方向が交替するチャネルを組み込んだ別の配置を示している。図２に示す配置の作動及び使用は、図１に図示の実施形態に関するもの及び上述した較正サイクルに関するものと同様であり、図２では、図１に対応するセクションに図１に基づいて更に１００だけ増分した番号を振っている。
【００７３】
従って、図２を参照して、ブロック１３０は、各々が円形の内部断面を有する複数のチャネル１２１、１２２、１２３を含む。各チャネル１２１、１２２、１２３は、２００〜２０００ミクロンの範囲で異なる内径を有する。チャネルの各々は、長さが１〜１５ｃｍであり、１０：１から４０：１の範囲の長さ：内径の比を有する。チャネルは、ブロック１３０の両端の間に流体流路を形成するように蛇行配置で直列に配置され、デバイスの直線広がりが低減する。各チャネルには、それぞれの圧力差をモニタするための手段が設けられる。図示の実施形態では、各チャネルには、それぞれの差圧ゲージ１４１、１４２、１４３に対するタッピングが設けられる。
【００７４】
第１のシリンジ１１１はプランジャ１１１ａと、中空シリンダ１１１ｂと、中空コネクタ１１１ｃとを含む。プランジャは、図１に示す配置の場合と同じ手法でシリンダの長手軸に沿って移動可能である。コネクタは、シリンダの長手軸に位置合わせされ、シリンダと流体連通している。
【００７５】
コネクタ１１１ｃは、シリンダとチャネル１２１の間に流体流路を形成するようにチャネル１２１と可逆係合される。すなわち、プランジャ１１１ａは、シリンダ１１１ｂ、コネクタ１１１ｃ、及びブロック１３０に対して移動可能である。
【００７６】
第２のシリンジ１１２は、プランジャ１１２ａと、中空シリンダ１１２ｂと、それと可逆係合する中空コネクタ１１２ｃとを含む。プランジャは、シリンダの長手軸に沿って移動可能である。コネクタは、シリンダの長手軸に位置合わせされ、シリンダと流体連通している。
【００７７】
コネクタ１１２ｃはチャネル１２３と係合され、チャネル１２３とシリンダ１１２ｂの間に流体流路を形成する。すなわち、プランジャ１１２ａは、シリンダ１１２ｂ、コネクタ１１２ｃ、及びブロック１３０に対して移動可能である。
【００７８】
第１及び第２のシリンジの各々は、約５〜２０ｍｌの内部容積を有する。
【００７９】
駆動要素１３１は、細長中心部分１３１ａと、中心部分の各端部から横方向に延びるサイドアーム１３１ｂ、１３１ｃとを有する。サイドアーム１３１ｂは、第１のシリンジのプランジャ１１１ａを押圧するように構成され、それに対してサイドアーム１３１ｃは、第２のシリンジのプランジャ１１２ａを押圧するように構成される。駆動要素１３１は電子制御される。
【００８０】
使用時に、第１のシリンジ１１１及び第２のシリンジ１１２の較正機能及び作動機能は、シリンジ１１及び１２を有する本発明の第１の態様によるデバイスに関して提示したものと同様である。
【００８１】
図１と図２の両方の実施形態に対して、全てのセンサ、電気部品、及び電気機械部品が下側セクション又は部分である１つのセクションに存在するようにチャネルの平面で計器を分割することを有利とすることができる。上側部分又はセクションである分割の他方のセクションは、半円形断面のチャネル内のスロットにされて定位置に締結された配管で構成することができる。これに代えて、上側セクションは、下側セクション内に組み込まれた半円形断面のチャネル内のスロットにされた円形断面のチャネル（又は配管）を組み込んだ板で構成することができる。上側セクションは、使用後に廃棄可能にすることができる。これらの変形のいずれにおいても、下側セクション内の圧力センサは、流体に接触することなく配管又はチャネル内の圧力を感知することができる。更に別の代替として、圧力センサは、下側セクションへの電気接続を有する配管内に組み込むことができる。
【００８２】
本発明の範囲から逸脱することなく、説明した実施形態に異なる修正を加えることができ、例えば、特許請求の範囲で他の変形及びオプションを考えることができ、例えば、駆動要素３１は、プランジャを一端で押し込んで後退させるようなプランジャ１１ａ上のクランプで置換することができる。プランジャ１２ａは、次に、それに対して作用される流体中の圧力に応答して前後に移動する。
【００８３】
流れアクチュエータ及び圧力モニタ装置又は圧力モニタシステムは、信号を処理し、ゲル化又は凝固の予想時間のような関連の流動情報を記録及び／又は表示するための電子システムに接続することができる。
【００８４】
装置の構造及び向きは、代わりの設計及び成形のものとすることができ、いずれの個数のセクションも存在することができる。これらのセクションは、血液又は検査流体が貫流することができるいずれかの形状又は構造とすることができる。例えば、各セクションは、均一な断面積を有することができ、徐々に変化する断面積を有することができ、又は変化する断面積を有することができる。セクション数は変更することができ、提供した例では３つのセクションが存在するが、３よりも多い又は少ないセクションを考えることができる。構成要素部品の個数は変更することができ、上述の例では、チャネルを含むブロックを１つの構成要素として例示している。しかし、ブロックは、血液接触チャネルが廉価な廃棄可能部品であり、それに対して感知構成要素がそれ程容易には廃棄することができないように、部分構成要素に好ましくは分割される。例えば、チャネルは、図に示すチャネル内に係合する廃棄可能プラスチックチューブとすることができる。廃棄可能部品の容易な交換を可能にするために、ブロックは、図に示す平面内で分割することができる。装置は、構成のあらゆる適切な材料又は材料の組合せを含むことができる。
【符号の説明】
【００８５】
１１ｂ、１２ｂ  中空シリンダ
１１ｃ、１２ｃ  中空コネクタ
３０  ブロック
３１  駆動要素
３１ｂ、３１ｃ  サイドアーム
【図１】
2019536027.tif 000003
【図２】
2019536027.tif 000004
【国際調査報告】
2019536027.tif 000005
2019536027.tif 000006
2019536027.tif 000007